(57)【特許請求の範囲】
【請求項１】
建物基礎側面に設置され、環境温度変化に応じて外気と内気の通過を制御する通気口が開閉する基礎用換気装置であって、
（ａ）
縦縞状に複数の孔と溝を形成した縦枠とを交互に配置した縦長孔群が背面に突出するとともに前記縦長孔群の底部にライン状の気密部材が貼付され、背面四隅には取り付ける箇所の穴の側面に位置する横ずれを防止するＬ字枠が立設し、正面には前記縦長孔群の左右にコの字型の第一、第二枠及び前記縦長孔群の上下の内側に縦長孔群側が高い断面三角形の後側突起及び前記後側突起の反縦長孔群側に前側突起を複数設けた直線状の第三枠、第四枠が立設する基板と、
（ｂ）
前記基板側の上下外周を切欠きとし縦縞状に複数の孔と溝を形成した縦枠とを交互に配置し上辺には連結孔を備えた連結突起が立設した突出片が２つ前記第四枠と第一、第２枠の上の切れ目に突出し前記基板の第三、第四枠の後側突起と前記縦長孔群の間にスライド可能に取り付けられたスライド板と
前記基板の上辺の中央部に一端が固定され他端が前記スライド板の前記突出片の連結突起に固定され雰囲気温度に応じて収縮力が変化する温度感受性バネと
一端が前記温度感受性バネに接続した上で前記感受性バネとともに前記基板に固定され他端が前記スライド板の他の前記突出片の連結突起に固定され雰囲気温度が変化しても一定の収縮力を有し前記温度感受性バネと逆方向のバネ付勢を与えるスプリングと
からなる第１のスライドユニットと、
（ｃ）
前記基板側の上下外周を切欠きとし縦縞状に複数の孔と溝を形成した縦枠とを交互に配置し下辺には連結孔を備えた連結突起が立設した突出片が２つ前記第三枠と第一、第２枠の下の切れ目に突出し前記基板の第三、第四枠の後側突起と前側突起の間にスライド可能に取り付けられた第２のスライド板と
前記基板の下辺の中央部に一端が固定され他端が前記第２のスライド板の前記連結突起に固定され雰囲気温度に応じて収縮力が変化するとともに前記温度感受性バネと異なる温度域で収縮力が変化し前記温度感受性バネと同一方向に配置される第２の温度感受性バネと
一端が前記第２の温度感受性バネに接続した上で前記第２の感受性バネとともに前記基板に固定され他端が前記第２のスライド板の他の前記連結突起に固定され雰囲気温度が変化しても一定の収縮力を有し前記第２の温度感受性バネと逆方向のバネ付勢を与える第２のスプリングと
からなる第２のスライドユニットと、
（ｄ）
前記基板側で前記縦長孔群の上辺及び左右辺を囲む位置に配置された外周枠の内側全面に気密シートを有し反気密シート側である背面には縦横に補強突条と外周に第二外周枠が立設し前記基板背面上側を支点に開閉可能に取り付けた開閉板と、
（ｅ）
前記開閉板を閉じたとき前記気密シートを前記基板の縦長孔群に押しつけるストッパー機構と、
（ｆ）
前記スライド板及び第２のスライド板、温度感受性バネ及び第２の温度感受性バネ及びスプリング及び第のスプリングを覆った上で前記基板の第一、第二枠に固定されるとともに、前記温度感受性及び第２のスプリング並びにスプリング及び第２のスプリングに相当する位置は板状で、前記基板及びスライド板の縦縞状の複数の孔に相当する位置は開口した上で網を張ったカバーと、
からなり、
（ｇ）
前記温度感受性バネとスプリングの収縮力の変化に応じて前記スライド板、及び前記第２の温度感受性バネと第２のスプリングの収縮力の変化に応じて前記第２のスライド板がスライドし、前記基板及びスライド板並びに第２のスライド板の孔同士が重なると建物外部と建物内部が連通する通気口が形成されることを特徴とする
基礎用換気装置。
【請求項２】
（Ａ）
棟換気直下の小屋裏に気密的なボックスも設け、
（Ｂ）
棟換気下の小屋裏上部に設置され、環境温度変化に応じて外気と内気の通過を制御する通気口が開閉する小屋裏換気装置であって、
（ａ）
縦縞状に複数の孔と溝を形成した縦枠とを交互に配置した縦長孔群が背面に突出するとともに前記縦長孔群の底部にライン状の気密部材が貼付され、背面四隅には取り付ける箇所の穴の側面に位置する横ずれを防止するＬ字枠が立設し、正面には前記縦長孔群の左右にコの字型の第一、第二枠及び前記縦長孔群の上下の内側に縦長孔群側が高い断面三角形の後側突起複数設けた直線状の第三枠、第四枠が立設する基板と、
（ｂ）
前記基板側の上下外周を切欠きとし縦縞状に複数の孔と溝を形成した縦枠とを交互に配置し下辺には連結孔を備えた連結突起が立設した突出片が２つ前記第四枠と第一、第２枠の下の切れ目に突出し前記基板の第三、第四枠の後側突起と前記縦長孔群の間にスライド可能に取り付けられたスライド板と
前記基板の下辺の中央部に一端が固定され他端が前記スライド板の前記突出片の連結突起に固定され雰囲気温度に応じて収縮力が変化する温度感受性バネと
一端が前記温度感受性バネに接続した上で前記感受性バネとともに前記基板に固定され他端が前記スライド板の他の前記突出片の連結突起に固定され雰囲気温度が変化しても一定の収縮力を有し前記温度感受性バネと逆方向のバネ付勢を与えるスプリングと
からなる第１のスライドユニットと、
（ｃ）
前記基板側で前記縦長孔群の上辺及び左右辺を囲む位置に配置された外周枠の内側全面に気密シートを有し反気密シート側である背面には縦横に補強突条と外周に第二外周枠が立設し前記基板背面下側を支点に開閉可能に取り付けた開閉板と、
（ｄ）
前記開閉板を閉じたとき前記気密シートを前記基板の縦長孔群に押しつける、一端が前記開閉板に係止され前記基板を挿通するワイヤーと、前記ワイヤーに連設する連結スプリングと、前記連結スプリングの他端に連設する第二ワイヤーと、前記第二の端部に設けられ前記開閉板の開閉を操作する操作部からなる操作装置と、屋内壁等に設けた前記操作部を係止する係止部とからなり前記操作部を引き、前記係止部に係止することで、前記開閉板を前記連結スプリングのバネ付勢で前記基板に押圧するストッパー機構と、
（ｅ）
前記スライド板、温度感受性バネ及びスプリングを覆った上で前記基板の第一、第二枠に固定されるとともに、前記温度感受性バネ及びスプリングに相当する位置は板状で、前記基板及びスライド板の縦縞状の複数の孔に相当する位置は開口した上で網を張ったカバーと、
からなり、
（ｆ）
前記温度感受性バネとスプリングとの収縮力の変化に応じて前記スライド板がスライドし、前記基板及びスライド板並びに第２のスライド板の孔同士が重なると建物外部と建物内部が連通する通気口が形成される換気装置を、
（Ｃ）
前記ボックス側面に前記開閉板の回動支点が下に位置させて取り付けたことを特徴とする
小屋裏換気装置。
【請求項３】
請求項２に記載の小屋裏換気装置を小屋裏に備え、請求項１に記載の基礎用換気装置を基礎側面に備え、床下と小屋裏を連通する通気層を壁に設けたことを特徴とする通気工法住宅。
【請求項４】
前記第１のスライドユニットの温度感受性バネの収縮力変化温度が１５℃で、
前記第２のスライドユニットの第２の温度感受性バネの収縮力変化温度が３５℃であることを特徴とする請求項３に記載の通気工法住宅。
【発明の詳細な説明】
【技術分野】
【０００１】
本発明は、小屋裏用換気プレート及び換気装置、基礎用換気プレート及び換気装置、それらを備えた建物内の温度を効果的に調節する通気工法住宅に関する。
【背景技術】
【０００２】
従来、建物内の温度を保つ又は下げる方法としては、各部屋に冷暖房設備を設置し、室温の変化に応じて冷房や除湿等を行い、快適な温度を保っていた。
【０００３】
しかしながら、上記のような冷暖房設備では室温を下げて快適な温度を維持するために当該設備を稼動させ続けなければならず、夏場など温度上昇が激しい季節には一日中稼動させて、電力消費が高かった。
【０００４】
そこで、発明者は以前に特許文献１の躯体内換気システムを発明した。特許文献１の躯体内換気システムは、気温上昇の緩やかな季節は建物全体の自然換気により、居室内の温度を下げ、気温上昇の激しい季節は居室内はもとより最も熱気の溜まる小屋裏の空気を必要最低限の電力で強制的に換気するとともに冷たい空気の溜まる基礎部分から小屋裏に向かう空気の流れを作って建物全体を快適な温度に保つため、建物の小屋裏に排気管と複数本の吸気管を備えたダクトファンを配置し、排気孔を設けた棟下には換気装置を有し一方が前記排気孔に連通し前記排気管の他端が挿通する棟換気ボックスを配置し、基礎には複数の基礎換気ボックスを配置して、各部屋の壁と外壁の間に通気層を設けて前記基礎と小屋裏を接続し、前記建物内の空気を吸気管の先端部より前記ダクトファンで吸引し、更に前記排気管を通して棟換気ボックスへ送り、前記排気孔から放出することを特徴とするというものである。
【０００５】
しかしながら、やはり電力を消費するとともに、換気を遮断した際の気密性において十分でなかった。
【先行技術文献】
【特許文献】
【０００６】
【特許文献１】特開２０１１−２１８３３号公報
【特許文献２】特開平１１−１４８７０３号公報
【発明の概要】
【発明が解決しようとする課題】
【０００７】
昨今、省エネ、エコ住宅が益々望まれている。そこで、本発明は、外気温、床下、小屋裏の気温変化に応じて換気する換気プレートと、換気を気密的に遮断する換気装置、及び換気装置を備え自然換気が可能であるとともに非換気時においては気密性を高め一層省エネでエコな通気工法住宅を提供する。
【課題を解決するための手段】
【０００８】
本発明は、上記の課題を解決するために、
（１）
棟換気下の小屋裏上部又は建物基礎側面に設置される換気装置に用いられ、環境温度変化に応じて外気と内気の通過を制御する通気口が開閉する換気プレートであって、
縦縞状に複数の孔を有する基板と、縦縞状に複数の孔を有し前記基板にスライド可能に取り付けられたスライド板と、前記基板の下辺の略中央部に一端が固定され他端がスライド板に固定され雰囲気温度に応じて収縮力が変化する温度感受性バネと、一端が前記温度感受性バネに接続した上で前記感受性バネとともに前記基板に固定され他端がスライド板に固定され雰囲気温度が変化しても一定の収縮力を有し前記温度感受性バネと逆方向のバネ付勢を与えるスプリングと、
からなり、
前記温度感受性バネとスプリングとの収縮力の変化に応じて前記スライド板がスライドし、前記孔同士が重なると建物外部と建物内部が連通する通気口が形成されることを特徴とする換気プレートの構成とした。
（２）
（１）に記載の換気プレートと、前記基板側の全面に気密シートを有し前記基板背面に開閉可能に取り付けた開閉板と、前記開閉板を閉じたとき前記気密シートを前記基板に押しつけるストッパー機構とからなることを特徴とする換気装置の構成とした。
（３）
前記スライド板、温度感受性バネ及びスプリングを覆った上で前記基板に固定されるとともに、前記温度感受性バネ及びスプリングに相当する位置は板状で、前記基板及びスライド板の縦縞状の複数の孔に相当する位置は開口した上で網を張ったカバーを備えることを特徴とする（２）に記載の換気装置の構成とした。
（４）
棟換気直下の小屋裏に気密的なボックスも設け、（２）又は（３）に記載の換気装置を前記ボックス側面に前記開閉板の回動支点が下に位置させて取り付けた上で、
前記ストッパー機構は、
一端が前記開閉板に係止され前記基板を挿通するワイヤーと、前記ワイヤーに連設する連結スプリングと、前記連結スプリングの他端に連設する第二ワイヤーと、前記第二の端部に設けられ前記開閉板の開閉を操作する操作部からなる操作装置と、屋内壁等に設けた前記操作部を係止する係止部とからなり、
前記操作部を引き、前記係止部に係止することで、前記開閉板を前記連結スプリングのバネ付勢で前記基板に押圧することを特徴とする小屋裏換気装置の構成とした。
（５）
（２）又は（３）に記載の換気装置において、前記スライド板と前記温度感受性バネと前記スプリングからなる第１のスライドユニットに加え、
スライド板と、前記温度感受性バネと異なる温度域で収縮力が変化する第２の温度感受性バネと、スプリングとからなる第２のスライドユニットを、
前記基板にスライド可能に備えることを特徴とする基礎用換気装置の構成とした。
（６）
（３）に記載の換気装置を基礎側面に設け、前記開閉板は基礎上側を支点に開閉し、
前記ストッパー機構が、
一端が前記開閉板に係止され前記基板及び前記カバーを挿通し、他端が前記開閉板の開閉を操作するつまみを備えたワイヤーと、前記カバーと前記基板の間に設けられ前記ワイヤーを通し係止する係止筒と、前記ワイヤーの前記係止筒内での係止を解放する解放ピンとからなり、
前記ワイヤーを引くことで前記開閉板が前記基板に押圧されるととともに前記ワイヤーが前記係止筒に係止され、前記解放ピンを押圧することで前記ワイヤーの係止を解放することにより前記開閉板が開くことを特徴とする基礎用換気装置の構成とした。
（７）
（４）に記載の小屋裏換気装置を小屋裏に備え、（５）又は（６）に記載の基礎用換気装置を基礎側面に備え、床下と小屋裏を連通する通気層を壁に設けたことを特徴とする通気工法住宅の構成とした。
（８）
前記第１のスライドユニットの温度感受性バネの収縮力変化温度が１５℃付近で、
前記第２のスライドユニットの温度感受性バネの収縮力変化温度が３５℃付近であることを特徴とする（５）に記載の通気工法住宅の構成とした。
【発明の効果】
【０００９】
本発明である換気プレートは電力を消費することなく床下及び小屋裏の自然換気を可能にし、本発明である換気装置であれば非換気時でも気密性が高く断熱効果が一層高い。それらを用いた通気工法住宅では、一層省エネで、エコな住宅を提供できる。
【図面の簡単な説明】
【００１０】
【図１】本発明である小屋裏用換気装置の分解斜視図である。
【図２】小屋裏用換気装置を構成する基板の正面（Ａ）、背面図（Ｂ）である。
【図３】小屋裏用換気装置を構成するスライド板の正面（Ａ）、背面図（Ｂ）である。
【図４】小屋裏用換気装置を構成する開閉板の正面（Ａ）、背面図（Ｂ）である。
【図５】小屋裏用換気装置を構成するカバーの正面（Ａ）、背面図（Ｂ）である。
【図６】小屋裏用換気プレートの組み立てを説明する正面図である。
【図７】小屋裏用換気装置の開閉板と基板の開閉構造を説明する背面図である。
【図８】小屋裏用換気装置にカバーの取り付ける正面図である。
【図９】本発明である基礎用換気装置の分解斜視図である。
【図１０】基礎用換気プレートの分解正面図である。
【図１１】基礎用換気プレートの組み立てを説明する正面図である。
【図１２】本発明である通気工法住宅の縦断面模式図である。
【発明を実施するための形態】
【００１１】
以下、添付の図面を参照し、本発明の実施の形態について詳細に説明する。
【実施例１】
【００１２】
（１）小屋裏用換気プレート及び小屋裏用換気装置
【００１３】
図１〜８に、本発明である小屋裏用換気プレート及び小屋裏用換気装置１を示した。小屋裏用換気装置１は、小屋裏用換気プレートと、開閉板４と、カバー５と、操作装置６を含むストッパー機構と、からなる。
【００１４】
小屋裏用換気プレートは、縞状の縦長孔１０ｇを備える基板２と、縞状の孔を備えるスライド板３と温度感受性バネ１７と温度感受性バネと拮抗する収縮力が一定のスプリング１６（第１のスライドユニット）と、からなる（図６）。
【００１５】
基板２は、図１、図２に示すように、取付先に留め具等で固定する際に使用する小孔を周囲に備える板枠１０の内部に、縞状にスライド板３の縞状の孔と重なることで建物外部と建物内部を連通する通気口を形成する縦長孔１０ｇを備える。縦長孔１０ｇのサイドの縦枠１０ｍの正面には、溝１０ｎが形成され、軽量化と変形防止を兼ねる。
【００１６】
基板２の正面（Ａ）には、縦長孔１０ｇを囲むように、コの字型の第一枠１０ａ及び第二枠１０ｂ、それらの間に切れ目をあけて縦長孔１０ｇの上下に直線状の第三枠１０ｃ及び第四枠１０ｄが立設する。切れ目には、後述のスライド板３の突出片１２ｃが位置する。従って、切れ目幅は、突出片１２ｃがスライドする幅長を要する。
【００１７】
スライド板３が一枚の時は、上下何れかの切れ目を設けるだけでよい。小屋裏用では、図６に示すように下側の切れ目に突出片１２ｃが位置する。第一枠１０ａ、第二枠１０ｂの隅に設けられた穴は、カバー５を取り付けるとき、ネジ留めに使用する連結孔１０ｊである。連結孔１０ｊは、後述のワイヤー２１が挿通する挿通孔１０ｋの両サイドにも連結部１０ｆを介して設けてある。さらに、突起１０ｅにも連結孔を同様に設けてある。
【００１８】
第三、第四枠１０ｃ、１０ｄの縦長孔１０ｇ側には、スライド板３をスライド可能に係止するための後側突起１０ｈと、前側突起１０ｉが複数点在して設けられている。各突起１０ｈ、１０ｉは、縦長孔１０ｇ側が高い断面略三角形である。
【００１９】
小屋裏用では後側突起１０ｈと縦長孔１０ｇとの間にスライド板３がスライド可能に位置する。後側突起１０ｈと前側突起１０ｉの間には、更にスライド板をスライド可能に保持することができる。従って、スライド板３が一枚のときは、前側突起は不要である。
【００２０】
基板２の正面（Ａ）側の縦長孔１０ｇの上下に位置する突起１０ｅは、スライドユニットの各バネの一端を連結する箇所である。挿通孔１０ｋは、後述の操作装置６のワイヤー２１が挿通する穴である。スライド板３が１枚のときは一方の突起１０ｅだけでよい。小屋裏用換気装置１では、図６に示すように下方の突起１０ｅを用いる。基板２は、小屋裏用換気装置（スライド板１枚）及び基礎用換気装置（スライド板２枚）で兼用できるため、スライド板２枚に対応した各部材が備えられている。
【００２１】
基板２の背面（Ｂ）側には、カバー５を回動可能に取り付ける連結部材１１ｃが下端に２つ立設する。連結部材１１ｃは、図７にも示す連結ピン２０を挿通する孔１１ｅが穿設され、左右連結部材１１ｃの間に、捻りバネ１９の一端を係止する中板１１ｄが立設する。板枠１０の四隅には、小屋裏用換気装置１を取り付ける箇所の穴の側面に位置し、横ずれを防止するＬ字枠１１ａが立設する。
【００２２】
また、縞状に設けられた複数の縦長孔１０ｇの下部には、後述のカバー５の気密シート１３ｄでは覆われない部分に、気密シート１３ｄと同じ素材である気密部材１１ｂがライン状に貼付され、カバー５が閉じたときの気密性を向上させる。
【００２３】
スライド板３は、温度感受性バネ１７及びスプリング１６の収縮力バランスの変化に応じて、左右にスライドする。図１、図３、図６に示すように、枠１２内には横枠１２ｈで仕切られ、基板２の縦長孔１０ｇと重なることで、通気口を形成する縞状に短孔１２ｂが上下に設けられている。短孔１２ｂのサイドの縦枠１２ｆ及び横枠１２ｈの背面には、溝１２ｇが形成され、軽量化と変形防止を兼ねる。
【００２４】
スライド板３の正面（Ａ）の下辺には、温度感受性バネ１７及びスプリング１６の一端を連結する連結孔１２ｅを備えた連結突起１２ｄが立設した突出片１２ｃが突出する。突出片１２ｃは、第一枠１０ａ及び第二枠１０ｂと、第四枠１０ｄの間の切れ目に位置する。
【００２５】
温度感受性バネ１７は、温度によって収縮力が変化するコイルバネで、形状記憶合金製コイル等として、従来から知られている（特許文献２等参照）。
【００２６】
温度感受性バネ１７は、図１、図６に示すように、一端が基板２に連結される。ここでは、基板２の突起１０ｅの連結孔１０ｊに取付片１５を介して留め具１８等で連結される。温度感受性バネ１７の他端はスライド板３に連結される。ここでは、スライド板３の一方の突出片１２ｃの連結孔１２ｅに留め具１８等で連結される。
【００２７】
取付片１５は、略三角形状の板で、各隅に小孔１５ｂ、中央には中央孔１５ａが設けられ、中央孔１５ａはネジ留め穴として、小孔１５ｂはバネを係止する穴として使用する。小孔１５ｂは、バネの形状によって適宜使い分けることができる。
【００２８】
スプリング１６は、環境温度の変化により収縮力が変化しにくく、一定の収縮力を発揮するようなコイルバネである。
【００２９】
スプリング１６は、図１、図６に示すように、一端が基板２に連結される。ここでは、基板２の突起１０ｅの連結孔１０ｊに取付片１５を介して留め具１８等で連結される。スプリング１６の他端はスライド板３に連結される。ここでは、スライド板３の温度感受性バネ１７が連結されていない他方の突出片１２ｃの連結孔１２ｅに留め具１８等で連結される。
【００３０】
温度感受性バネ１７とスプリング１６の収縮力バランス（収縮方向）は、雰囲気温度に応じて変化する。即ち、スプリング１６の収縮力は一定であるので、温度に応じて温度感受性バネ１７の収縮力が変形することによりスライド板３を移動する。
【００３１】
小屋裏用換気装置１に用いる場合には、温度感受性バネ１７とスプリング１６の収縮バランスは、１５〜１６℃付近で拮抗し、低温域（約１５℃以下）では通気口が閉じるよう、高温域（約１６℃以上）では通気口が開口するような温度感受性バネ１７とスプリング１６を選択するとよい。
【００３２】
開閉板４は、図１、図４、図７に示すように、板状で、下辺には左右に孔１３ｉが穿設され、基板２の連結部材１１ｃに回動可能に取り付けられる連結片１３ｃを備える。上片には、後述の操作装置６のワイヤー２１が挿通、係止される挿通孔１３ｅが穿設された突起部１３ｂが突出する。
【００３３】
開閉板４の正面（Ａ）側には、上辺、左右辺に基板２の縞状の縦長孔１０ｇ群の外周に位置する外周枠１３ｆが立設する。基板２の縦長孔１０ｇ群は、背面側に少し突出している。外周枠１３ｆはそれらを包むように立設する。
【００３４】
基板２の縦長孔１０ｇとスライド板３の短孔１２ｂとで通気口を閉鎖して、隙間があり気密性は高くない。そこで、開閉板４には、基板２の縦長孔１０ｇ群に接し、気密性を高めるため、外周枠１３ｆの内側には気密シート１３ｄが貼付されている。気密シート１３ｄは発泡性の弾力のある素材が望ましいが、気密性を保持できるのであれば特に限定されるものではない。
【００３５】
開閉板４の背面（Ｂ）側には、開閉板４の変形を防止するよう、縦横に補強突条１３ｈが複数立設する。さらに開閉板４の外周にも、変形を防ぐため第二外周枠１３ｇが立設する。
【００３６】
次に、開閉板４と基板２の回動取り付けについて図７を参照して説明する。基板２の板枠１０の背面に立設する左右の連結部材１１ｃのその間には開閉板４の連結片１３ｃを配置し、連結片１３ｃの間に捻りバネ１９を配置した上で、それらに連結ピン２０を挿通し、留め輪２０ａで連結ピン２０を留める。
【００３７】
捻りバネ１９の一端である第一端部１９ａは開閉板４に係止され、他端である第二端部１９ｂは基板２の背面の連結部材１１ｃの中に立設する中板１１ｄに係止される。これにより、開閉板４は常時開閉方向にバネ付勢が掛かり、開閉板４は通常開いている。
【００３８】
カバー５は、図１、図５、図８に示すように、各隅にカバー５を基板２（第一枠１０ａ及び第二枠１０ｂの連結孔１０ｊ）にネジなどの留め具などで固定するための連結孔１４ｋを穿設した４角形の周枠１４と、周枠１４の上下に突出した第一突条１４ｂ及び第二突条１４ｃと、周枠１４の内部に連接され変形を防ぐ縦枠１４ｆ及び横枠１４ｅと、周枠１４、縦枠１４ｆ及び横枠１４ｅの背面内部に貼られゴミ、虫の進入を防ぐ網１４ｄと、周枠１４及び第一、第二突条１４ｂ、１４ｃの背面（Ｂ）の外周に立設する背面枠１４ｌとからなる。背面枠１４ｌは、第一〜第四枠１０ａ〜１０ｄの外側に勘合する。
【００３９】
第一、第二突条１４ｂ、１４ｃは、スライド板３の突出片１２ｃを覆うために、周枠１４より突出している。第一突条１４ｂの上辺には、カバー５を基板２（板枠１０の連結孔１０ｊ）にネジなどの留め具で固定するための左右連結孔１４ｊ、１４ｊを穿設した接合片１４ｇが突出する。
【００４０】
接合片１４ｇの中央には、後述の操作装置６のワイヤー２１を挿通する挿通孔１４ｉが穿設される。第一突条１４ｂの一方の隅には、後述の基礎用操作装置６ａワイヤー２１を引いて開閉板４を閉じたときに、ワイヤー２１を係止するための突起片１４ｍが突出する。従って、粉屋根裏用では使用しない。なお、スライド板３が一枚のときは、第一突条１４ｂには突出片１２ｃは位置しない。
【００４１】
ストッパー機構は、図１、図１２に示すように、操作装置６と、係止部２２とかなる。操作装置６は、各挿通孔１３ｅ、１０ｋ、１４ｉに挿通するワイヤー２１と、ワイヤー２１の一端に設けられ、挿通孔１３ｅに挿通した上で開閉板４の突起部１３ｂに係止される留め具２１ｃと、ワイヤー２１の他端に連接する連結スプリング２１ａと、連結スプリング２１ａに連接する第二ワイヤー２１ｂと、第二ワイヤー２１ｂの他端に連接する操作部２１ｄからなる。
【００４２】
操作部２１ｄを係止部２２から解放しているときは、捻りバネ１９のバネ付勢で開閉板４は解放し、操作部２１ｄを引き、図１２に示す係止部２２に係止することで、開閉板４を連結スプリング２１ａのバネ付勢で基板２に押圧する。即ち、連結スプリング２１ａのバネ収縮力は捻りバネ１９の開閉板４の解放方向のバネ付勢より強い。これにより、小屋裏用換気装置１の開閉板４を閉じたときの気密性が向上する。係止部２２は、開閉板４が適切な押圧力で基板２に押圧される位置に設ける。
【００４３】
このような部材から構成される小屋裏用換気装置１は、図６、８に示すように、基板２の第一〜第四枠１０ａ〜１０ｄ内の後側突起１０ｈと縞状の縦長孔１０ｇの間にスライド板３をスライド可能に嵌めた上で、スプリング１６及び温度感受性バネ１７を取付片１５で連結して、取付片１５を基板２の突起１０ｅの連結孔１０ｊに係止するとともに、各バネの他端をスライド板３の各突出片１２ｃの連結孔１２ｅに係止する。
【００４４】
その上で、カバー５でスライド板３と、スプリング１６及び温度感受性バネ１７を覆い、カバー５（連結孔１４ｋ）を留め具１８で基板２に固定する（連結孔１０ｊ）。また、背面には、気密シート１３ｄを貼付した開閉板４を回動可能に取り付ける。そして、操作装置６の留め具２１ｃを開閉板４に係止し、ワイヤー２１を基板２（挿通孔１０ｋ）、カバー５（挿通孔１４ｉ）に挿通させて、組み立てる。そのようにしてなる小屋裏用換気装置１は、図１２のように取り付け、小屋裏３１ｃの空気の換気に用い、空気の自然排出を利用して通気工法住宅３０の温度調節をする。
【実施例２】
【００４５】
（２）基礎用換気プレート及び基礎用換気装置
【００４６】
図９〜図１１に、本発明である基礎用換気プレート及び基礎用換気装置１ａを示した。基礎用換気装置１ａは、基礎用換気プレートと、開閉板４と、カバー５と、操作装置６ａを含むストッパー機構と、からなる。
【００４７】
基礎用換気プレートは、基板２と、スライド板３と温度感受性バネ１７と温度感受性バネと拮抗する収縮力が一定のスプリング１６（第１のスライドユニット）と、第２のスライドユニットからなる（図９）。
【００４８】
基礎用換気装置１ａは、実施例１の小屋裏用換気装置１を上下反転させた上、第１のスライドユニットに加え、スライド板３ａと温度感受性バネ１７と異なる温度域で収縮力が変化する第２の温度感受性バネ１７ａと、スプリング１６とからなる第２のスライドユニットを基板２に備える。
【００４９】
即ち、基板２、第１のスライドユニット、開閉板４は実施例１と同じである。従って、開閉板４の回動支点は、小屋裏用換気装置１では下側で、基礎用換気装置では上側にくる。よって、ここでは実施例１と同じ部材、構造については、その説明は省略する。
【００５０】
また、スライド板３ａ、スプリング１６も実施例１と同じものである。たたし、ここでのスライド板３ａは、スライド板３と上下位置が逆となっている。スライド板３ａは、スライド板３と、カバー５と間に位置し、基板２の後側突起１０ｈと前側突起１０ｉの位置にスライド可能に嵌められる。
【００５１】
後側突起１０ｈは、縦長孔１０ｇ側が高い断面逆三角形であることから、スライド板３ａの縦長孔１０ｇ側上下外周は、切欠き１２ｉとする。断面略三角形の後側突起１０ｈと切欠き１２ｉとを設けることで、スライド板３とスライド板３ａとを近接して配置することができ、気密性が一層高まる。
【００５２】
ストッパー機構は、実施例１の操作装置６及び係止機構が異なる。実施例１では小屋裏に換気装置を設置するため、操作装置６のワイヤー２１を長くしなければならいないが、基礎用換気装置１ａでは操作装置６ａと基礎用換気装置１ａとは近く、操作装置６ａを外で操作すればよいからである。なお、実施例１同様に、室内で操作する場合には、操作装置６を用いることもできる。
【００５３】
操作装置６ａは、図９に示すように、開閉板４の突起部１３ｂの挿通孔１３ｅに挿通し、係止される留め具２１ｃと、留め具２１ｃに連接し、基板２の挿通孔１０ｋ、カバー５と基板２の間で挿通孔１０ｋの位置に配置される係止筒２３、カバー５の挿通孔１４ｉに挿通する解放ピン２３ａに挿通するワイヤー２１と、ワイヤー２１の他端に連接するつまみ２１ｅとからなる。
【００５４】
つまみ２１ｅを引くと開閉板４が閉じ、ワイヤー２１は係止筒２３内で係止される。解放ピン２３ａを押すとワイヤー２１の係止が解除される。係止筒２３によるワイヤー２１の係止原理は、シャープペンシルの芯の送り出し機構と同様である。強くつまみ２１ｅを引くと、開閉板４の気密シート１３ｄが基板２の縦長孔１０ｇ群に密着して係止され、開閉板４を閉じたときの気密性が確保できる。
【００５５】
第１のスライドユニットでは、高温域、例えば約１９℃以上では、基板２の縦長孔１０ｇとスライド板３の短孔１２ｂで通気口が形成されたままである。小屋裏換気においてはそれでよいが、基礎換気においては、高温域、例えば３８℃以上では、暖かな外気を床下にいれないよう、床下の空気は一般に夏場では外気より低いので、基礎用換気装置１ａは閉じていることが望ましい。
【００５６】
そこで、第２のスライドユニットでは、高温域で収縮力が変化する温度感受性バネ１７ａを採用する。例えば、スプリング１６と温度感受性バネ１７ａの収縮バランスは３４〜３６℃付近では拮抗し、低温域（約３４℃以下）では通気口が開くよう、高温域（約３６℃以上）では通気口が閉じるよう、温度感受性バネ１７とスプリング１６を選択するとよい。
【００５７】
上述のような第１のスライドユニットと第２のスライドユニットを採用することで、スライド板３、３ａは約１５℃付近以下及び３５℃付近以上で通気口は全閉の方向にスライドし、その間の温度域では通気口は全開又は通気するようスライドする。さらに、１２℃以下、３８℃以上では全閉する温度感受性バネ１７、１７ａ、スプリング１６の収縮バランスが望ましい。
【実施例３】
【００５８】
（３）実施例１、２の換気プレート及び換気装置を用いた通気工法住宅
【００５９】
図１２に示すように、通気工法住宅３０は、基礎３０ａ上に部屋３３を壁で囲う建物３１を建て、建物３１の上部には屋根３０ｂが載る、一般的な住宅の構造である。ここでは、基礎３１ａはベタ基礎３５ｄとしたが、布基礎であってもよい。
【００６０】
部屋３３の床は、根太３４ｊの上に下地合板３４ｉを貼り、下地合板３４ｉの上に床材３４ｈが貼られている、一般的な床構造でより。床とベタ基礎３５ｄとの間には、床下空間が形成される。
【００６１】
建物３１の壁には、床下空間と小屋裏３１ｃを連通する通路（内側通気層３４ｋ）が備えられ、内側通気層３４ｋから部屋３３側の壁は、内側通気層３４ｋ側から順に、一般住宅で採用される、内側胴縁３４ｅ、石膏ボード３４ｆ、内壁仕上材３４ｇとなっている。
【００６２】
また、内側通気層３４ｋから外側の壁は、内側通気層３４ｋ側から順に、一般住宅で採用される、断熱材３４ｄ、耐力面材３４ｃ、外側胴縁（外側通気層３４ｂ）、エアーシート３４ａ、外壁材３４となっている。外側通気層３４ｂは、壁下部から軒下まで連通する。部屋３３と部屋３３と間にも床下空間と小屋裏３１ｃを連通する通路（通気層３４ｍ）を備える。
【００６３】
内側通気層３４ｋ及び通気層２４ｍは、床下空間の空気が小屋裏３１ｃに流れる通路となる。外側通気層３４ｂは、壁下部の外気３６が軒下に流れる通路である。ここに例示した壁構造以外であっても床下空間と小屋裏３１ｃを連通する通路を備えればよい。
【００６４】
部屋３３と屋根３１ｂとの間が小屋裏３１ｃである。屋根３１ｂには従来から用いられている棟換気３５ｅが備えられている。棟換気３５ｅは、小屋裏３１ｃの熱気を、熱気の上昇流により建物３１の外に自然排出する。
【００６５】
屋根３１ｂは、垂木の上に野地板３５ｂを貼り、その上に防水シートを貼り、その上から屋根材３５ｃが積層される。野地板３５ｂの下で垂木の間には、断熱材３５が配置され、野地板３５ｂと断熱材３５との間には、軒から棟換気３５ｅに連通する屋根裏通気層３５ａが形成される。屋根裏通気層３５ａは、外気３６と外側通気層３４ｂと流れた内気３６ａが棟換気３５ｅまで流れる通路である。ここまでは、従来からある一般的な屋根構造である。
【００６６】
本発明では、先ず棟換気３５ｅの下の小屋裏３１ｃの上部に、棟換気３５ｅ及び屋根裏通気層３５ａと連通し、小屋裏３１ｃと遮蔽された気密的な箱（気密ボックス３２）を形成し、基板２を固定し、実施例１の小屋裏用換気装置１を取り付ける。気密ボックス３２と小屋裏３１ｃの空気の流れを操作装置６を操作し開閉板４の開閉することにより、連通、遮断可能にする。開閉板４は、基板２の下方を支点に回動する。
【００６７】
操作装置６の操作部２１ｄを部屋３３の壁に設けた係止部２２に係止することで、開閉板４は気密的に閉じ、操作部２１ｄを係止部２２から外すことで開閉板４は開く。また、ワイヤー２１は、小屋裏３１ｃ上部、側面に取り付けた滑車を経由することで、部屋内で操作部２１ｄ及び係止部２２の配置の自由度が増す。
【００６８】
また、基礎３１ａの側面には、穴が形成され、箱３２ａを嵌め、箱３２ａに実施例２の基礎用換気装置１ａの基板２を固定して、基礎用換気装置１ａを嵌める。開閉板４は、基板２の上方を支点に回動する。開閉板４の開閉を操作するつまみ２１ｅは、基礎３１ａ側面外側に位置する。
【００６９】
このような構造とすることで、床下の暖かい空気（内気３６ａ）は、温度に応じて、通気層３４ｍ、内側通気層３４ｋを通り、小屋裏３１ｃに上昇する。或いは、小屋裏３１ｃの暖かい空気（内気３６ａ）が棟換気３５ｅから排出することで、床下、壁下部、軒下から空気が小屋裏３１ｃ或いは棟換気３５ｅに引き込まれ、それに伴って外気３６を通気工法住宅３０内に引き込み、空気の流れ（通気）を形成し、通気工法住宅３０全体を自然換気する。
【００７０】
温度反応性のスライドユニットを備えることで、外気温度、通気工法住宅３０内の温度に応じて通気制御を行い、電気を使用することなく住宅の自然換気を行い、かつ操作装置６、６ａを用いて開閉板４を開閉することで通気の遮断性を向上させ、適切な通気制御を可能とする。特に、気密シート１３ｄを備える開閉板４を備えることで、開閉板４を閉じたときは、遮蔽性が高く、一層快適な通気制御を可能にする。
【符号の説明】
【００７１】
１      小屋裏用換気装置
１ａ    基礎用換気装置
２      基板
３      スライド板
３ａ    スライド板
４      開閉板
５      カバー
６      操作装置
６ａ    操作装置
１０    板枠
１０ａ  第一枠
１０ｂ  第二枠
１０ｃ  第三枠
１０ｄ  第四枠
１０ｅ  突起
１０ｆ  連結部
１０ｇ  縦長孔
１０ｈ  後側突起
１０ｉ  前側突起
１０ｊ  連結孔
１０ｋ  挿通孔
１０ｍ  縦枠
１０ｎ  溝
１１ａ  Ｌ字枠
１１ｂ  気密部材
１１ｃ  連結部材
１１ｄ  中板
１１ｅ  孔
１２    枠
１２ｂ  短孔
１２ｃ  突出片
１２ｄ  連結突起
１２ｅ  連結孔
１２ｆ  縦枠
１２ｇ  溝
１２ｈ  横枠
１２ｉ  切欠き
１３ｂ  突起部
１３ｃ  連結片
１３ｄ  気密シート
１３ｅ  挿通孔
１３ｆ  外周枠
１３ｇ  第二外周枠
１３ｈ  補強突条
１３ｉ  孔
１４ｂ  第一突条
１４ｃ  第二突条
１４ｄ  網
１４ｅ  横枠
１４ｆ  縦枠
１４ｇ  接合片
１４ｉ  挿通孔
１４ｊ  連結孔
１４ｋ  連結孔
１４ｌ  背面枠
１４ｍ  突起片
１５    取付片
１５ａ  中央孔
１５ｂ  小孔
１６    スプリング
１７    温度感受性バネ
１７ａ  温度感受性バネ
１８    留め具
１９    捻りバネ
１９ａ  第一端部
１９ｂ  第二端部
２０    連結ピン
２０ａ  留め輪
２１    ワイヤー
２１ａ  連結スプリング
２１ｂ  第二ワイヤー
２１ｃ  留め具
２１ｄ  操作部
２１ｅ  つまみ
２２    係止部
２３    係止筒
２３ａ  解放ピン
３０    通気工法住宅
３１    建物
３１ａ  基礎
３１ｂ  屋根
３１ｃ  小屋裏
３２    気密ボックス
３２ａ  箱
３３    部屋
３４    外壁材
３４ａ  エアーシート
３４ｂ  外側通気層（外部胴縁）
３４ｃ  耐力面材
３４ｄ  断熱材
３４ｅ  内側胴縁
３４ｆ  石膏ボード
３４ｇ  内壁仕上材
３４ｈ  床材
３４ｉ  下地合板
３４ｊ  根太
３４ｋ  内側通気層
３４ｍ  通気層
３５    断熱材
３５ａ  屋根裏通気層
３５ｂ  野地板
３５ｃ  屋根材
３５ｄ  ベタ基礎
３５ｅ  棟換気
３６    外気
３６ａ  内気
【要約】
【課題】外気温、床下、小屋裏の気温変化に応じて換気する換気プレートと、換気を気密的に遮断する換気装置、及び換気装置を備え自然換気が可能であるとともに非換気時においては気密性を高め一層省エネでエコな通気工法住宅を提供する。
【解決手段】縞状に孔を有する基板と、縞状に孔を有し基板にスライド可能に取り付けられたスライド板と、基板とスライド板に固定され雰囲気温度に応じて収縮力が変化する温度感受性バネと、基板とスライド板に固定され雰囲気温度が変化しても一定の収縮力を有し、温度感受性バネと逆方向のバネ付勢を与えるスプリングとからなり、温度感受性バネとスプリングとの収縮力の変化に応じてスライド板がスライドし、孔同士が重なると通気口が形成されることを特徴とする換気プレートの構成とした。また、換気プレートを備える換気装置、前記換気装置を基礎及び小屋裏に備え、床下と小屋裏とが連通した通気工法住宅の構成とした。
【選択図】図１２【図１】
0005207200.tif 000002
【図２】
0005207200.tif 000003
【図３】
0005207200.tif 000004
【図４】
0005207200.tif 000005
【図５】
0005207200.tif 000006
【図６】
0005207200.tif 000007
【図７】
0005207200.tif 000008
【図８】
0005207200.tif 000009
【図９】
0005207200.tif 000010
【図１０】
0005207200.tif 000011
【図１１】
0005207200.tif 000012
【図１２】
0005207200.tif 000013